(57)【特許請求の範囲】
【請求項１】
２枚の矩形状の板が互いに直交するように上面視Ｌ字状に一体に形成されるＬ字状部材が複数同方向に一列のみ整列し、
該複数のＬ字状部材全体の開放側面、開放底面及び開放上面を各々覆う複数の矩形状の側板部材、複数の矩形状の底板部材及び複数の矩形状の天板部材を備え、
前記Ｌ字状部材には、隣接する前記側板部材との当接面を提供する補強部が設けられることを特徴とする雨水貯留浸透施設用組立体。
【請求項２】
前記補強部は、上面視矩形の棒状に形成され、前記Ｌ字状部材の自由端面近傍に位置し、
前記側板部材は、該側板部材の一端部が隣接する前記Ｌ字状部材の一方の自由端面と面接触すると共に、他端部が前記補強部と面接触することを特徴とする請求項１に記載の雨水貯留浸透施設用組立体。
【請求項３】
前記整列したＬ字状部材及び側板部材が鉛直方向に複数段にわたって設けられ、
隣接する２つの段において、上方に位置する複数のＬ字状部材全体の開放底面と、下方に位置する複数のＬ字状部材全体の開放上面を各々覆う複数の面板部材を備えることを特徴とする請求項１又は２に記載の雨水貯留浸透施設用組立体。
【請求項４】
前記隣接する２つの段において、前記整列したＬ字状部材及び側板部材の配列が、上面視において互いに線対称であることを特徴とする請求項３に記載の雨水貯留浸透施設用組立体。
【発明の詳細な説明】
【技術分野】
【０００１】
本発明は、地中に構築される雨水貯留浸透施設を構成する組立体に関する。
【背景技術】
【０００２】
雨水貯留浸透施設は、集水した雨水の貯留空間として地中に構築される雨水貯留施設と、集水した雨水を地中で一時的に貯留した後、地中に緩やかに排出して分散浸透させる雨水浸透施設とを含む。この雨水貯留浸透施設は、雨水の有効利用を図ったり、雨水が河川や地下雨水管路網へ急激に流入することにより発生する都市型浸水災害を防止したり、地下水を涵養して地盤沈下を抑止するために地中に埋設される。
【０００３】
上記雨水貯留浸透施設の一例として、特許文献１には、平面視略正方形状で、底板及び天板を構成する第１及び第２の面板部材と、第１及び第２の面板部材に凹凸嵌合により連結される管支持部材と、第１及び第２の面板部材並びに管支持部材に凹凸嵌合により連結される側板部材とを備え、第１及び第２の面板部材、２枚の管支持部材並びに２枚の側板部材からなる立方体状の枡状部が水平方向に一列に複数並設された雨水貯留浸透槽が開示される。
【０００４】
また、特許文献２には、平面視で略正方形状の底板と、４枚の側板を凹凸嵌合により連結してなる有底四角筒状の周壁体と、平面視で略正方形状の天板とを備え、底板及び天板に形成された溝に周壁体の上部及び下部を嵌合して構成される雨水浸透枡が開示され、特許文献３及び４には、この特許文献２に記載の雨水浸透枡を水平方向に一列に複数並設した雨水貯留浸透システムが開示される。
【先行技術文献】
【特許文献】
【０００５】
【特許文献１】特開２００３−３４９７１号公報
【特許文献２】特開２０１４−２０１８０号公報
【特許文献３】特開２０１４−２１４５１９号公報
【特許文献４】特開２０１４−２３４６４３号公報
【発明の概要】
【発明が解決しようとする課題】
【０００６】
上記特許文献１に記載の雨水貯留浸透槽は、すべて平板状の部材から構成されるため、嵩張ることのない態様で輸送することができるという利点があるものの、構成要素や連結箇所が増加するため、組立作業の工数が増加し、製造コストや水平方向の土圧に対する強度の面で改善の余地があった。
【０００７】
一方、上記特許文献３及び４に記載の雨水貯留浸透システムは、隣接する雨水貯留浸透枡において、２枚の側板が重なる部分が存在し、この２枚の側板が重なる部分は本来１枚の側板で構成可能であるため、構成が過剰なものとなり、組立作業性も悪化するという問題があった。
【０００８】
そこで、本発明は、上記従来技術における問題点に鑑みてなされたものであって、簡単な構成で容易に組立可能であり、水平方向の土圧に対して充分な強度を備えた雨水貯留浸透施設用組立体を提供することを目的とする。
【課題を解決するための手段】
【０００９】
上記目的を達成するため、本発明の雨水貯留浸透施設用組立体は、２枚の矩形状の板が互いに直交するように上面視Ｌ字状に一体に形成されるＬ字状部材が複数同方向に一列のみ整列し、該複数のＬ字状部材全体の開放側面、開放底面及び開放上面を各々覆う複数の矩形状の側板部材、複数の矩形状の底板部材及び複数の矩形状の天板部材を備え、前記Ｌ字状部材には、隣接する前記側板部材との当接面を提供する補強部が設けられることを特徴とする。
【００１０】
本発明によれば、Ｌ字状部材が複数同方向に一列のみ整列すると共に、複数の矩形状の側板部材が複数のＬ字状部材全体の開放側面を各々覆うため、上記特許文献３及び４に記載のシステムのように２枚の板状部材が重なることがなく、製造コストを低減することができる。また、補強部を設けたため、側板部材の内面をＬ字状部材と共に支持することができ、水平方向の土圧に対する強度を高めることができる。
【００１１】
上記雨水貯留浸透施設用組立体において、前記補強部は、上面視矩形の棒状に形成され、前記Ｌ字状部材の自由端面近傍に位置し、前記側板部材は、該側板部材の一端部が隣接する前記Ｌ字状部材の一方の自由端面と面接触すると共に、他端部が前記補強部と面接触するように構成することができる。これにより、簡単な構成で補強部を構成することができ、製造コストの低減に繋がる。
【００１２】
また、前記整列したＬ字状部材及び側板部材を鉛直方向に複数段にわたって設け、隣接する２つの段において、上方に位置する複数のＬ字状部材全体の開放底面と、下方に位置する複数のＬ字状部材全体の開放上面を各々覆う複数の面板部材を備えるようにすることができる。これによって、雨水貯留浸透施設の設置面積を維持したまま雨水の貯留浸透容量を高めることができる。
【００１３】
さらに、上記雨水貯留浸透施設用組立体の隣接する２つの段において、前記整列したＬ字状部材及び側板部材の配列を、上面視において互いに線対称とすることができる。これにより、隣接する２つの段において、水平方向の土圧に対する強度が高められた側板部材を雨水貯留浸透施設用組立体全体に均一に配置することができ、雨水貯留浸透施設用組立体の強度の偏りを防止することができる。
【発明の効果】
【００１４】
以上のように、本発明によれば、簡単な構成で容易に組立可能であり、水平方向の土圧に対して充分な強度を備えた雨水貯留浸透施設用組立体を提供することができる。
【図面の簡単な説明】
【００１５】
【図１】本発明に係る雨水貯留浸透施設用組立体の一実施の形態を示す分解斜視図である。
【図２】図１に示す組立体のＬ型板のうち、通水孔が穿設されていないものを示し、（ａ）は上面図、（ｂ）は正面図、（ｃ）は背面図、（ｄ）は（ｃ）のＡ−Ａ線切断部端面図、（ｅ）は（ｂ）のＢ−Ｂ線断面図である。
【図３】図１に示す組立体のＬ型板のうち、通水孔が穿設されているものを示し、（ａ）は上面図、（ｂ）は正面図、（ｃ）は背面図、（ｄ）は（ｃ）のＣ−Ｃ線切断部端面図、（ｅ）は（ｂ）のＤ−Ｄ線断面図である。
【図４】図１に示す組立体のＩ型板を示し、（ａ）は正面図、（ｂ）は（ａ）のＥ−Ｅ線断面図、（ｃ）は底面図、（ｄ）は（ａ）のＦ−Ｆ線断面図。（ｅ）は側面図、（ｆ）は背面図である。
【図５】図１に示す組立体の上下板を示し、（ａ）は平面図、（ｂ）は正面図である。
【図６】本発明に係る雨水貯留浸透施設用組立体を備える雨水貯留浸透施設の一例を示す概略断面図である。
【図７】図６の組立体の水平断面図であって、（ａ）は上方に位置する組立体を、（ｂ）は下方に位置する組立体を各々示す。
【図８】図６に示す組立体の中間板の一つを示し、（ａ）は平面図、（ｂ）は正面図である。
【図９】図６に示す組立体の上下板の一つを示し、（ａ）は平面図、（ｂ）は正面図である。
【図１０】図６に示す組立体の中間板の一つを示し、（ａ）は平面図、（ｂ）は正面図である。
【図１１】図６に示す組立体の点検口を示し、（ａ）は平面図、（ｂ）は（ａ）のＧ−Ｇ線断面図である。
【図１２】図６に示す組立体の蓋を示し、（ａ）は平面図、（ｂ）は（ａ）のＨ−Ｈ線断面図である。
【図１３】図６に示す組立体の底版フィルターを示し、（ａ）は平面図、（ｂ）は（ａ）のＩ−Ｉ線断面図である。
【図１４】図３等に示す通水孔が穿設されているＬ型板の他の実施形態を示し、（ａ）は上面図、（ｂ）は正面図、（ｃ）は背面図、（ｄ）は（ｃ）のＪ−Ｊ線切断部端面図、（ｅ）は（ｂ）のＫ−Ｋ線断面図である。
【発明を実施するための形態】
【００１６】
次に、本発明を実施するための形態について、図面を参照しながら詳細に説明する。
【００１７】
図１は、本発明に係る雨水貯留浸透施設用組立体（以下「組立体」と略称する）の一実施の形態を示し、この組立体１は、複数のＬ型板（Ｌ字状部材）３（３Ａ、３Ｂ）、９及び複数のＩ型板１３（側板部材）が整列して構成される本体２と、この本体２の開放底面２ａ及び開放上面２ｂを各々覆う複数の上下板（底板部材兼天板部材）２０とで構成される。ここで、本体２の開放底面２ａを覆う上下板２０と、本体２の開放上面２ｂを覆う上下板２０は同一の構成を有するが、上下面の向き（表裏）が互いに異なる。これら各板３、９、１３、２０は、プラスチック材料によって一体成形され、再生プラスチック材料を用いることもできる。
【００１８】
本体２において、Ｌ型板３Ａ、９は複数同方向に一列に整列され、Ｉ型板１３は複数のＬ型板３Ａ、９全体の開放側面を覆うように整列している。ここで、Ｌ型板３は本体２の両端部に位置するものであるが、図１の右下部に位置するＬ型板３ＢはＬ型板９と相対向する向きに配置される。
【００１９】
Ｌ型板３（３Ａ、３Ｂ）は、図２に示すように、２つのフレーム状の外枠４ａの各々の一辺を接合したＬ字状に形成された枠体４と、各外枠４ａ内に配設されたリブ６とを備える。
【００２０】
枠体４は、２つのフレーム状の外枠４ａの各々の一辺を接合したＬ字状に形成されるため、１つのフレーム状の外枠からなる、独立したパネル状に形成する場合よりも、強度に優れると共に、この枠体４を用いた組立体１の組立作業が容易となる。
【００２１】
リブ６は、Ｌ型板３の強度を向上させるため、水平方向に連続して形成されると共に、仕切り４ｂを挟んで鉛直方向に複数段にわたって設けられる。このリブ６には、通水性を考慮して開口部７が適宜穿設される。
【００２２】
一方、Ｌ型板９は、図３に示すように、Ｌ型板３の構成に加え、一方の外枠４ａの中央に通水孔１０ａを形成する内枠１０と、隣接するＩ型板１３との当接面１１ａを提供する補強部１１とを備える。補強部１１は、横断面が矩形状の棒状に形成され、ボルト８によってリブ６に固定される。補強部１１をＬ型板９と一体成形してもよい。リブ６の通水孔１０ａに面する端部は内枠１０を兼ねている。尚、その他の構成はＬ型板３と同一であるため、Ｌ型板３の各構成要素の参照番号を付して説明を省略する。
【００２３】
Ｉ型板１３は、図４に示すように、外枠１４ａからなる枠体１４と、外枠１４ａ内に配設されたリブ１６と、リブ１６に通水性を考慮して穿設される開口部１７とを備える。リブ１６は、Ｉ型板１３の強度を向上させるため、水平方向に連続して形成されると共に、仕切り１４ｂを挟んで鉛直方向に複数段にわたって設けられる。
【００２４】
上下板２０は、図１及び図５に示すように、上記Ｌ型板３、９及びＩ型板１３と同様に枠体２０ａ及びリブ２０ｂ（図５（ａ）におけるリブ２０ｂの詳細構成は省略）を備えると共に、平面視において各辺に複数の凹凸を備え、隣接する２枚の上下板２０において凸部２０ｃが凹部２０ｄに係合することによっていわゆる鳩尾継が可能に構成される。さらに、この凸部２０ｃ上には、Ｌ型板３、９及びＩ型板１３の上下端部が嵌合される凹部２０ｅが設けられている。上下板２０の強度を高めるため、上下板２０の表裏には略々全面にわたって凹凸が形成される。
【００２５】
図１に示すように、上記構成を有するＬ型板３、９及びＩ型板１３が整列した本体２において、Ｌ型板３と隣接するＩ型板１３及びＬ型板９はコーナーアングル２２によって各々連結され、上下板２０の凹部２０ｅにこれらＬ型板３、９及びＩ型板１３の各々の端部が嵌合されることで、本体２と上下板２０とが連結されて組立体１が構成される。
【００２６】
尚、図１の右下部に位置するＬ型板３Ｂを、Ｉ型板１３と、このＩ型板１３とＬ型板９によって形成される開放側面を塞ぎ、これらの板９、１３の間に配置される平板状部材としてもよい。
【００２７】
上記構成を有する組立体１によれば、Ｌ型板９に補強部１１を設け、この補強部１１の当接面１１ａに、Ｌ型板９と面接触していないＩ型板１３の一端部１３ａ（図４（ｆ）参照）を面接触させたため、隣接するＬ型板９の開放側面を覆うＩ型板１３（図１において組立体１の中央部に位置する２枚）の水平方向の土圧に対する強度を高めることができる。また、各板が重なる部分が存在しないため、組立の作業性が悪化したり、製造コストが増加することもない。
【００２８】
次に、上記構成を有する組立体１（本体２）を備えた雨水貯留浸透施設について、図６を中心に図７〜図１３を参照しながら説明する。
【００２９】
図６は、地面に埋設された雨水貯留浸透施設（以下「施設」と略称する）の一例を示し、この施設３１は、上記本体２と、この本体２の上方に位置し、本体２と同様の構成を有する本体３３と、複数の上記上下板２０と、本体２、３３を連結する複数の中間板３４等からなる組立体３２等で構成される。
【００３０】
図７は、本体２、３３の水平断面図を示し、図７（ａ）に示す本体３３の各部材３、９、１３、２２は、図１等に示したものと同一であり、上面視において、図７（ｂ）に示す本体２の各部材３、９、１３、２２と線対称になるように整列する。これにより、隣接する２つの段において、水平方向の土圧に対する強度が高められたＩ型板１３を組立体３２の全体に均一に配置することができ、組立体３２の強度の偏りを防止することができる。
【００３１】
中間板３４は、図８に示すように、図５に示す上下板２０の凹部２０ｅが上下両面に形成されるように２枚の上下板２０を一体に組み合わせたような構成を有する。各構成要素は、上記上下板２０のものと同様であるため、同一の参照番号を付して説明を省略する。
【００３２】
図６へ戻り、組立体３２の左端部に位置する上下板３５及び中間板３６には、点検作業用の孔３５ａ、３６ａが穿設されている。これら上下板３５及び中間板３６を図９及び図１０に各々示すが、孔３５ａ、３６ａ以外の基本構成は上記上下板２０及び中間板３４と同様であるため、同一の参照番号を付して説明を省略する。
【００３３】
また、図６に示すように、上下板３５の上には点検作業用の点検口３７が連結される。この点検口３７は、図１１に示すように、全体的に円筒状に形成され、上部開口３７ａと、上部開口３７ａの周囲に形成される環状溝３７ｂを備える。
【００３４】
図６において、非点検作業時には、点検口３７の上部開口３７ａと上下板３５の孔３５ａを閉じる必要がある。そこで、上部開口３７ａを閉じるための蓋３８と、上下板３５の孔３５ａを閉じるための底版フィルター３９を備える。
【００３５】
蓋３８は、図１２に示すように、全体的に円板状に形成され、点検口３７の環状溝３７ｂに係合する突条３８ａと、蓋３８を着脱するための取っ手３８ｂを備える。
【００３６】
一方、底版フィルター３９は、図１３に示すように、全体的に皿状に形成され、孔３５ａに挿入される底部３９ａと、上部に形成される鍔部３９ｂと、底版フィルター３９を上下板３５（図６参照）に着脱するための取っ手３９ｃを備える。
【００３７】
尚、上記実施の形態においては、本体２の開放上面２ｂが４つである場合について説明したが、これに限定されず、開放上面２ｂが水平方向に一列に形成され、この開放上面が少なくとも２つ以上であれば組立体１を構成することができる。
【００３８】
また、図３に示したＬ型板９に代えて、図１４に示すＬ型板４１を用いてもよい。このＬ型板４１は、通水孔を有する内枠と補強部の構成においてＬ型板９と相違し、その他の構成はＬ型板９と同一である。そのため、これらＬ型板９と同一の構成要素には、Ｌ型板９と同一の参照番号を付して説明を省略する。
【００３９】
Ｌ型板４１の通水孔４２ａは、外枠４ａの下部中央に位置し、内枠４２によって縦長の蒲鉾形に形成される。この通水孔４２ａは、組立体１の維持管理の目的として使用することができる。
【００４０】
Ｌ型板４１の補強部４４（４４Ａ〜４４Ｄ）は、上面視三角形状で、かつ正面視コ字状に形成され、上下方向に４つに分割されてＬ型板４１に一体に成形されている。補強部４４をＬ型板４１とは別体とし、Ｌ型板４１にボルトによって固定してもよい。これにより、Ｉ型板１３との当接面４４ａを十分に確保しながら、Ｌ型板９の補強部１１よりも軽量化を図ることができる。また、補強部４４の形状も上面視三角形状に限定されず、上面視矩形状であってもよい。
【００４１】
尚、上記Ｌ型板４１の通水孔４２ａの形状は、維持管理の作業が行えるのであれば他の形状であってもよく、通水孔４２ａの位置も適宜変更可能である。また、補強部４４の数も４つに限定されず、Ｉ型板１３との当接面４４ａを十分に確保することができれば４つ未満であってもよく、５つ以上でもよい。
【符号の説明】
【００４２】
１  組立体
２  本体
２ａ  開放底面
２ｂ  開放上面
３  Ｌ型板
４  枠体
４ａ  外枠
４ｂ  仕切り
６  リブ
７  開口部
８  ボルト
９  Ｌ型板
１０  内枠
１０ａ  通水孔
１１  補強部
１１ａ  当接面
１３  Ｉ型板
１３ａ  一端部
１４  枠体
１４ａ  外枠
１４ｂ  仕切り
１６  リブ
１７  開口部
２０  上下板
２０ａ  枠体
２０ｂ  リブ
２０ｃ  凸部
２０ｄ、２０ｅ  凹部
２２  コーナーアングル
３１  施設
３２  組立体
３３  本体
３４  中間板
３５  上下板
３５ａ  孔
３６  中間板
３６ａ  孔
３７  点検口
３７ａ  上部開口
３７ｂ  環状溝
３８  蓋
３８ａ  突条
３８ｂ  取っ手
３９  底版フィルター
３９ａ  底部
３９ｂ  鍔部
３９ｃ  取っ手
４１  Ｌ型板
４２  内枠
４２ａ  通水孔
４４（４４Ａ〜４４Ｄ）  補強部
４４ａ  当接面
【図１】
0006706153.tif 000002
【図２】
0006706153.tif 000003
【図３】
0006706153.tif 000004
【図４】
0006706153.tif 000005
【図５】
0006706153.tif 000006
【図６】
0006706153.tif 000007
【図７】
0006706153.tif 000008
【図８】
0006706153.tif 000009
【図９】
0006706153.tif 000010
【図１０】
0006706153.tif 000011
【図１１】
0006706153.tif 000012
【図１２】
0006706153.tif 000013
【図１３】
0006706153.tif 000014
【図１４】
0006706153.tif 000015